(57)【要約】【課題】ユーザが望む通信状況と実際の通信状況との整合を図りうるように通信状況を切り替えるシステム等を提供する。【解決手段】通信切替システム１００は、外的通信管理システム２００を介して車載通話装置１０および携帯電話機１２のそれぞれと他の通信装置２２との通信状況を、切り替えるための通信切替システムであって、通信回線の切り替えのトリガとなるイベントの発生を認識する処理を行う第１処理部１１１と、イベントの発生が認識されたときに、通信回線の切り替えを行うか否かを決定する処理を行う第２処理部１１２と、通信状況の切り替えが決定されたときに、通信状況の切り替えを行う第３処理部１１３とを備える。【選択図】図１
2008141242.tif 000002
【特許請求の範囲】
【請求項１】
移動体に搭載されている通信装置（以下「搭載通信装置」という。）および携帯型の通信装置（以下「携帯通信装置」という。）のそれぞれと他の通信装置との通信状況を、切り替えるための通信切替システムであって、
前記通信状況の切り替えのトリガとなるイベントの発生を認識する処理を行う第１処理部と、
前記第１処理部により前記イベントの発生が認識されたときに、前記通信状況の切り替えを行うか否かを決定する処理を行う第２処理部と、
前記第２処理部により前記通信状況の切り替えが決定されたときに、前記通信状況の切り替えを行う第３処理部と
を備えていることを特徴とする通信切替システム。
【請求項２】
請求項１記載の通信切替システムにおいて、
前記第１処理部は、前記携帯通信装置から前記搭載通信装置に通信状況が切り替えられているときに、前記携帯通信装置の製造番号、型番、ネットワーク通信用のアドレス、機器アドレス、および電話番号のうち一部または全部を識別子として、該識別子を前記携帯通信装置のメモリから読み取ることができない状態を前記イベントの発生と認識することを特徴とする通信切替システム。
【請求項３】
請求項１又は２記載の通信切替システムにおいて、
前記第２処理部は、前記搭載通信装置および前記携帯通信装置の切り替え使用のために、ユーザによる選択操作を許容することを特徴とする通信切替システム。
【請求項４】
請求項１乃至３のいずれか１項記載の通信切替システムにおいて、
前記搭載通信装置は表示部を備え、
前記第２処理部は、前記通信状況の切り替えを行うか否かをユーザに選択させる選択画面を前記表示部に表示し、該選択画面に従ってユーザが選択した
前記搭載通信装置又は前記携帯通信装置への切り替えを決定することを特徴とする通信切替システム。
【請求項５】
請求項４記載の通信切替システムにおいて、
前記第２処理部は、前記選択画面に従った操作が行われない場合に、前記通信状況の切り替えを決定することを特徴とする通信切替システム。
【請求項６】
請求項１乃至５のいずれか１項記載の通信切替システムにおいて、
ユーザの存在を検知する検知部を備え、
前記第２処理部は、前記検知部によってユーザの存在が検知されないときに、前記搭載通信装置から前記携帯通信装置への通信状況の切り替えを決定することを特徴とする通信切替システム。
【請求項７】
請求項１乃至６のいずれか１項記載の通信切替システムにおいて、
前記第３処理部は、前記第２処理部により前記通信状況の切り替えとして通信回線の切り替えが決定されたときに、該通信回線の切り替えのための指示信号を外的通信切替システムに送信する処置を行うことを特徴とする通信切替システム。
【請求項８】
搭載通信装置および携帯型の通信装置のそれぞれと他の通信装置との間の通信状況を、切り替えるための方法であって、
前記通信状況の切り替えのトリガとなるイベントの発生を認識する処理を行う第１処理と、
前記第１処理により前記イベントの発生が認識されたときに、前記通信状況の切り替えを行うか否かを決定する処理を行う第２処理と、
前記第２処理により前記通信状況の切り替えが決定されたときに、前記通信状況を切り替える処理を行う第３処理と
を実行することを特徴とする通信切替方法。
【請求項９】
搭載通信装置および携帯型の通信装置のそれぞれと他の通信装置との間の通信状況を、切り替えるための機能を移動体に搭載されているコンピュータに付与するプログラムであって、
前記通信状況の切り替えのトリガとなるイベントの発生を認識する第１処理機能と、
前記第１処理機能により前記イベントの発生が認識されたときに、前記通信状況の切り替えを行うか否かを決定する第２処理機能と、
前記第２処理機能により前記通信状況の切り替えが決定されたときに、前記通信状況の切り替えを行う第３処理機能と
を移動体に搭載されているコンピュータに付与することを特徴とする通信管理プログラム。
【発明の詳細な説明】
【技術分野】
【０００１】
本発明は、移動体に搭載されている通信装置および携帯型の通信装置のそれぞれと他の通信装置との通信状況を切り替える通信切替システム、当該通信切替方法、当該通信切替機能をコンピュータに付与するプログラムに関する。
【背景技術】
【０００２】
ハンズフリー通話装置等、自動車（車両）に搭載されている通信装置を通じて他の電話機との通話が可能な状態と、携帯電話機を通じて他の電話機との通話が可能な状態とを自動的に切り替える技術的手法が提案されている（例えば、特許文献１参照）。そして、かかる通信装置から携帯電話機への通信機器の切り替えに応じて、通信装置及び携帯電話機のそれぞれと他の電話機との間の通信回線を切り替えることも可能である。
【特許文献１】特開２００２−２９０５３８号公報
【発明の開示】
【発明が解決しようとする課題】
【０００３】
しかしながら、例えば、携帯電話機の電池切れなどの場合には、携帯電話機が使用不可となるにもかかわらず、携帯電話機に自動的に切り替えられる場合が生ずる。このような場合、ユーザが車載通話装置による通信状態の継続を望んでも、車載通信装置から携帯電話機へ通信機器又は通信回線が切り替えられてしまうという問題点がある。
【０００４】
そこで、本発明は、ユーザが望む通信状況（通信機器又は通信回線）と実際の通信状況との整合を図りうるように通信状況を切り替えるシステムおよび方法、当該管理機能をコンピュータに付与するプログラムを提供することを解決課題とする。
【課題を解決するための手段】
【０００５】
本発明の通信切替システムは、移動体に搭載されている通信装置（以下「搭載通信装置」という。）および携帯型の通信装置（以下「携帯通信装置」という。）のそれぞれと他の通信装置との通信状況を、切り替えるための通信切替システムであって、前記通信状況の切り替えのトリガとなるイベントの発生を認識する処理を行う第１処理部と、前記第１処理部により前記イベントの発生が認識されたときに、前記通信状況の切り替えを行うか否かを決定する処理を行う第２処理部と、前記第２処理部により前記通信状況の切り替えが決定されたときに、前記通信状況の切り替えを行う第３処理部とを備えていることを特徴とする。
【０００６】
本発明の通信切替システムによれば、搭載通信装置および携帯通信装置の間の通信状況の切り替えのトリガとなるイベントが起きた場合、第２処理部により、通信状況の切り替えを行うか否かを決定する処理が行われる。そして、通信状況の切り替えを行うことが決定された場合に、搭載通信装置および携帯通信装置の間で通信状況が切り替えられる。これにより、通信状況の切り替えは、その切り替えが適切であるか否かを考慮して決定されるため、ユーザの意思に反して、外的通信切替システムにより車載通話装置と携帯電話機との間で通信状況が切り替えられることを防止して、ユーザが望む通信状況と実際の通信状況との整合を図ることができる。
【０００７】
前記第１処理部は、例えば、前記携帯通信装置から前記搭載通信装置に通信状況が切り替えられているときに、前記携帯通信装置の製造番号、型番、ネットワーク通信用のアドレス、機器アドレス、および電話番号のうち一部または全部を識別子として、該識別子を前記携帯通信装置のメモリから読み取ることができない状態を前記イベントの発生と認識することが好ましい。
【０００８】
前記第２処理部は、前記搭載通信装置および前記携帯通信装置の切り替え使用のために、ユーザによる選択操作を許容することが好ましい。これにより、通信状況の切り替えの際には、ユーザによる選択操作が行われるため、その意思に反して、外的通信切替システムにより車載通話装置と携帯電話機との間で通信状況が切り替えられることを防止することができる。
【０００９】
また、本発明の通信システムにおいて、前記搭載通信装置は表示部を備え、前記第２処理部は、前記通信状況の切り替えを行うか否かをユーザに選択させる選択画面を前記表示部に表示し、該選択画面に従ってユーザが選択した前記搭載通信装置又は前記携帯通信装置への切り替えを決定することが好ましい。これにより、ユーザは選択画面に従って、通信状況の選択を行うことができるため、確実に自己が望む通信状況と実際の通信状況との整合を図ることができる。
【００１０】
前記第２処理部は、前記選択画面に従った操作が行われない場合に、前記通信状況の切り替えを決定することが好ましい。例えば、選択画面に従った操作が行われない場合としては、通信状況が携帯通信装置から搭載通信装置に切り替えられているときに、ユーザが携帯電話を携帯して移動体から離れた場合等が該当する。このような場合には、ユーザが携帯電話を携帯していると判断して、通信状況を搭載通信装置から携帯通信装置に切り替える。これにより、ユーザの使い勝手に即した通信状況を実現することができる。
【００１１】
本発明の通信切替システムは、ユーザの存在を検知する検知部を備え、前記第２処理部は、前記検知部によってユーザの存在が検知されないときに、前記搭載通信装置から前記携帯通信装置への通信状況の切り替えを決定することが好ましい。移動体においてユーザの存在が検知されない場合としては、ユーザが携帯通信を携帯して移動体から離れている場合が考えられる。そのため、この場合には、通信状況を搭載通信装置から携帯通信装置への切り替えることにより、ユーザの使い勝手に即した通信状況を実現することができる。
【００１２】
前記第３処理部は、前記第２処理部により前記通信状況の切り替えとして通信回線の切り替えが決定されたときに、該通信回線の切り替えのための指示信号を外的通信切替システムに送信する処置を行うことが好ましい。かかる通信切替システムによれば、前記通信状況が通信回線である場合に、第２処理部によって通信回線の切り替えが決定されると、移動体に搭載されている通信機の通信機能を用いて指示信号が外的通信切替システムに送信され、この外的通信切替システムにより指示信号に応じて搭載通信装置および携帯通信装置の間で通信回線が切り替えられる。これにより、外的通信切替システムを介して通信回線の切り替えが行われる場合にも、該通信回線の切り替えを確実に行うことができる。
【００１３】
本発明の通信切替方法は、搭載通信装置および携帯型の通信装置のそれぞれと他の通信装置との間の通信状況を、切り替えるための方法であって、前記通信状況の切り替えのトリガとなるイベントの発生を認識する処理を行う第１処理と、前記第１処理により前記イベントの発生が認識されたときに、前記通信状況の切り替えを行うか否かを決定する処理を行う第２処理と、前記第２処理により前記通信状況の切り替えが決定されたときに、前記通信状況を切り替える処理を行う第３処理とを実行することを特徴とする。
【００１４】
本発明の通信切替方法によれば、前記通信切替システムと同様、ユーザの意思に反して、外的通信切替システムにより車載通話装置と携帯電話機との間で通信状況が切り替えられることを防止して、ユーザが望む通信状況と実際の通信状況との整合を図ることができる。
【００１５】
本発明の通信切替プログラムは、搭載通信装置および携帯型の通信装置のそれぞれと他の通信装置との間の通信状況を、切り替えるための機能を移動体に搭載されているコンピュータに付与するプログラムであって、前記通信状況の切り替えのトリガとなるイベントの発生を認識する第１処理機能と、前記第１処理機能により前記イベントの発生が認識されたときに、前記通信状況の切り替えを行うか否かを決定する第２処理機能と、前記第２処理機能により前記通信状況の切り替えが決定されたときに、前記通信状況の切り替えを行う第３処理機能とを移動体に搭載されているコンピュータに付与することを特徴とする。
【００１６】
本発明の通信切替プログラムによれば、ユーザの意思に反して、外的通信切替システムにより車載通話装置と携帯電話機との間で通信状況が切り替えられることを防止して、ユーザが望む通信状況と実際の通信状況との整合が図られるように、搭載通信装置および携帯通信装置の通信状況を切り替える機能が移動体に搭載されているコンピュータに付与される。
【発明を実施するための最良の形態】
【００１７】
図１に示されているように、自動車（移動体）１に搭載されている車載通話装置（搭載通信装置）１０は、それ自体が有する通信切替システム（以下、「内的通信切替システム」という。）１００と、通信ユニット（通信機）１０２とを備えている。また、車載通話装置１０は、マイク１０４と、スピーカ１０６と、操作部（図示略）とを備え、ユーザの存在の有無を検出するシートセンサ１０７に接続されている。
【００１８】
内的通信切替システム１００は、車載通話装置１０が備えているハードウェアとしてのコンピュータ（ＣＰＵ、ＲＯＭ、ＲＡＭ等のメモリ、Ｉ／Ｏ等により構成され、電子制御ユニット（ＥＣＵ）を構成する。）と、メモリに格納され後述の処理機能をこのコンピュータに付与するソフトウェアとしての本発明の「通信切替プログラム」とにより構成されている。通信切替プログラムは、最初から車載コンピュータのメモリに格納されていてもよいが、その一部または全部が運転手または車載コンピュータからのリクエストがあったとき等、任意のタイミングで所定のサーバからダウンロードされてもよい。
【００１９】
内的通信切替システム１００は、車載通話装置１０および携帯電話機１２のそれぞれの通信状態を管理するための構成として第１処理部１１１と、第２処理部１１２と、第３補助処理部１２３とを備えている。第１処理部１１１、第２処理部１１２、第３処理部１１３および第３補助処理部１２３のそれぞれは、ＣＰＵ、ＲＯＭ、ＲＡＭ等のメモリ、Ｉ／Ｏ等により構成されている。
【００２０】
第１処理部１１１は、携帯電話機１２の通信回線の車載通話装置１０から当該携帯電話機１２への切り替えのトリガとなる「第１種のイベント」の発生を認識する。また、第１処理部１１１は、携帯電話機１２の通信回線の当該携帯電話機１２から車載通話装置１０への切り替えのトリガとなる「第２種のイベント」の発生を認識する。
【００２１】
第２処理部１１２は、車載通話装置１０に通信回線が接続されている状態で第１処理部１１１により第１種及び第２種のイベントの発生が認識されたときに、通信回線の切り替えを行うか否かを決定する。このとき、第２処理部１１２は、車載通話装置１０から携帯電話機１２への通信回線の切り替えを行うか否かの選択画面を、車載通話装置１０のディスプレイ（図示略）や携帯電話機１２のディスプレイ等に表示し、選択画面に従ったユーザの入力に応じて前記決定を行う。また、ユーザの入力がない場合に、第２処理部１１２は、シートセンサ１０７の検出結果に応じて前記決定を行う。
【００２２】
第３処理部１１３は、車載通話装置１０に通信回線が接続されている状態で第２処理部１１２により通信回線の切り替えが決定されたときに、「第１指示信号」を通信ユニット１０２の通信機能を利用して外的通信切替システム２００に発信する。第１指示信号は、車載通話装置１０から携帯電話機１２への通信回線の切り替えを外的通信切替システム２００に指示するための信号である。
【００２３】
また、第３処理部１１３は、携帯電話機１２に通信回線が接続されている状態で第２処理部１１２により通信回線の切り替えが決定されたときに、「第２指示信号」を通信ユニット１０２の通信機能を利用して外的通信切替システム２００に発信する。第２指示信号は、携帯電話機１２から車載通話装置１０への通信回線の切り替えを外的通信切替システム２００に指示するための信号である。
【００２４】
さらに、第３処理部１１３は、第１指示信号が外的通信切替システム２００に送信されたときに、内的通信切替システム１００により認識されている通信回線の状態を表す指数ｉを、通信回線が携帯電話機１２に接続されていることを表す「２」として、メモリに保存する（記憶させる）。また、第３処理部１１３は、第２指示信号が外的通信切替システム２００に送信されたときに、当該指数ｉを通信回線が車載通話装置１０に接続されていることを表す「１」としてメモリに保存する。
【００２５】
第３補助処理部１２３は、通信回線の切り替えの成否を判定し、当該切り替えが失敗であったと判定した場合、当該判定結果または通信回線の切り替えのための対処方法を示す情報等を前記ディスプレイ等に出力させる。
【００２６】
外的通信切替システム２００は、ネットワークに接続された一または複数のサーバにより構成されており、切り替え処理部２３０を備えている。切り替え処理部２３０はＣＰＵ、ＲＯＭ、ＲＡＭ等のメモリ、Ｉ／Ｏ等により構成されている。
【００２７】
切り替え処理部２３０は、サーバ２００が第１指示信号を受信したとき、通信回線を車載通話装置１０から携帯電話機１２に切り替える。また、切り替え処理部２３０はサーバ２００が第２指示信号を受信したとき通信回線を携帯電話機１２から車載通話装置１０に切り替える。たとえば携帯電話機（携帯通信装置）１２の電話番号により特定される通信回線の接続先が、搭載通信装置１０および当該携帯電話機１２のうち一方から他方に変更されることで、当該通信回線が切り替えられる。
【００２８】
次に、前記構成の内的通信切替システム１００、外的通信切替システム２００および当該２つのシステムにより構成される通信システムの機能について図２〜図３を用いて説明する。
【００２９】
図２に示すように、第１処理部１１１が「第１処理」を実行する（Ｓ１１）。
【００３０】
具体的に、第１処理部１１１は、メモリにより記憶されている指数ｉが「１」および「２」のいずれであるか、すなわち、通信回線の接続先が車載通話装置１０および携帯電話機１２のいずれであるかを判定する（Ｓ１１０）。
【００３１】
第１処理部１１１は、指数ｉが「１」であると判定した場合（Ｓ１１０‥「１」）、「第１種のイベント」の発生を監視し、その発生を認識する（Ｓ１１２）。第１種のイベントは、車載通話装置１０から携帯電話機１２への通信回線の切り替えのトリガとなるイベントである。第１種のイベントには、自動車１のイグニッションスイッチ（図示略）の操作に応じた車両電源のオン状態からオフ状態への切り替えや、車載通話装置１０と携帯電話機１２とのＢｌｕｅｔｏｏｔｈ等の通信規格による通信の切断や、携帯電話機１２のクレードル（図示略）からの取り外し（所定箇所からの移動）等が含まれる。すなわち、第１種のイベントには、本来であれば通信ユニット１０２の通信機能が停止されるようなイベントが含まれている。そして、第１処理部１１１は、第１種のイベントの発生を認識すると（Ｓ１１２‥ＹＥＳ）、指示信号を表す指数ｋとして「１」をメモリに保存する（Ｓ１１４）。
【００３２】
また、第１処理部１１１は、指数ｉが「２」であると判定した場合（Ｓ１１０‥「２」）、「第２種のイベント」の発生を監視し、その発生を認識する（Ｓ１１６）。第２種のイベントは、携帯電話機１２から車載通話装置１０への通信回線の切り替えのトリガとなるイベントである。第２種のイベントには、自動車１のイグニッションスイッチ（図示略）の操作に応じた車両電源のオフ状態からオン状態への切り替えや、車載通話装置１０と携帯電話機１２とがＢｌｕｅｔｏｏｔｈ等の通信規格による通信の確立や、携帯電話機１２のクレードル（図示略）への指し込み（所定箇所への設置）が含まれる。そして、第１処理部１１１は、第２種のイベントの発生を認識すると（Ｓ１１６‥ＹＥＳ）、前記指数ｋとして「２」をメモリに保存する（Ｓ１１８）。
【００３３】
第１処理部１１１により第１種のイベントまたは第２種のイベントがあったと判定された場合（Ｓ１１２‥ＹＥＳ、Ｓ１１６‥ＹＥＳ）、第２処理部１１２が「第２処理」を実行する（Ｓ１２）。
【００３４】
まず、第２処理部１１２は、メモリにより記憶されている指数ｋが「１」および「２」のいずれであるか、すなわち、発信されるべき指示信号を表す指数ｋが「１」および「２」のいずれであるかを判定する（Ｓ１２０）。
【００３５】
第２処理部１１２は、指数ｋが「１」であると判定した場合（Ｓ１２０‥「１」）、車載通話装置１０から携帯電話機１２への通信回線の切り替えを行うか否かの選択画面を、車載通話装置１０のディスプレイ（図示略）や携帯電話機１２のディスプレイ等に表示する（Ｓ１２１）。
【００３６】
そして、第２処理部１１２は、選択画面に従って、ユーザが操作部を介して通信回線の切り替えを行うか否かを入力すると、入力に応じた決定のための処理を行う。
【００３７】
具体的には、ユーザが通信回線の切り替えを行うことを選択した場合には（Ｓ１２２‥ＹＥＳ）、通信ユニット１０２がその通信圏内にあるか否かを、通信回線の切り替えの可否として判定する（Ｓ１２３）。そして、通信圏内にあると判定した場合（Ｓ１２３‥ＹＥＳ）には、通信回線を切り替えることを決定して、第２処理を終了する。
【００３８】
一方、通信ユニット１０２がその通信圏外にあると判定した場合（Ｓ１２３‥ＮＯ）、第１メッセージを車載通話装置１０のディスプレイや携帯電話機１２のディスプレイ等に出力し（Ｓ１２４）、通信回線を切り替えることなく、第２処理を終了する。ここで、第１メッセージには、通信ユニット１０２がその通信圏外にあることや、通信回線の切り替えができなかったことなどが含まれる。このとき、第１メッセージが搭載通信装置１０のスピーカ１０６から音声として出力してもよい。
【００３９】
一方、第２処理部１１２は、選択画面の表示後、所定時間内（例えば２０秒以内）に、ユーザによる選択操作が行われない場合（Ｓ１２２‥（入力なし））、シートセンサ１０７の検出結果を参照して、ユーザが車内に存在しているか否かに応じて（Ｓ１２５）、通信回線の切り替えを行うか否かを決定する。
【００４０】
具体的に、第２処理部１１２は、ユーザが車内に存在していない場合には（Ｓ１２５‥ＮＯ）、携帯電話機１２が車外に持ち出されたものとして、通信回線の切り替えのための処理を行う。通信回線の切り替えのための処理として、前述のように、通信ユニット１０２がその通信圏内にあるか否かを、通信回線の切り替えの可否として判定する処理が行われる（Ｓ１２３）。
【００４１】
一方、第２処理部１１２は、ユーザが車内に存在している場合には（Ｓ１２５‥ＹＥＳ）、第２メッセージを車載通話装置１０のディスプレイや携帯電話機１２のディスプレイ等に出力し（Ｓ１２６）、通信回線を切り替えることなく、第２処理を終了する。ここで、第２メッセージには、通信回線の切り替えを行わなかったことや、ユーザ自身が通信回線の切り替えを行う場合の手順等が含まれる。このとき、第２メッセージが搭載通信装置１０のスピーカ１０６から音声として出力してもよい。
【００４２】
また、第２処理部１１２は、指数ｋが「２」であると判定した場合（Ｓ１２０‥「２」）、携帯電話機１２から車載通話装置１０への通信回線の切り替えの可否を判定する処理のみを行う（Ｓ１２３）。
【００４３】
次に、図３に示すように、第２処理部１１２により通信回線の切り替えが決定されると（Ｓ１２３‥ＹＥＳ）、第３処理部１１３が「第３処理」を実行する（Ｓ１３）。
【００４４】
具体的には、第３処理部１１３はメモリに記憶されている、発信されるべき指示信号を表す指数ｋが「１」および「２」のいずれであるかを判定する（Ｓ１３０）。
【００４５】
第３処理部１１３は指数ｋが「１」であると判定した場合（Ｓ１３０‥「１」）、「第１指示信号」を通信ユニット１０２の通信機能を利用して発信する（Ｓ１３２）。指数ｋが「１」であるとの判定は、通信回線が車載通話装置１０に接続されている状態において第１処理部１１１により第１種のイベントが起きたと判定されたことを意味する（Ｓ１１０、Ｓ１１２、Ｓ１１４）。第１指示信号は、携帯電話機１２を識別するためのＩＤとともに通信ユニット１０２の通信機能を用いて外的通信切替システム２００に送信される（矢印（１））。外的通信切替システム２００は第１指示信号を受信した旨のＡｃｋ通知を、当該ＩＤにより認識される携帯電話機１２に送信する（矢印（２））。第３処理部１１３は当該Ａｃｋ通知の受信に応じて、メモリに記憶されている指数ｉを「２」に設定する（Ｓ１３４）。
【００４６】
また、外的通信切替システム２００は第１指示信号に応じて、車載通話装置１０から携帯電話機１２に通信回線を切り替え（Ｓ２３２）、かつ、当該切り替え後の（実際の）通信回線の状態を表す指数ｊを「２」としてそのメモリに保存する（Ｓ２３４）。
【００４７】
一方、第３処理部１１３は指数ｋが「２」であると判定した場合（Ｓ１３０‥「２」）、「第２指示信号」を通信ユニット１０２の通信機能を利用して発信する（Ｓ１３６）。指数ｋが「２」であるとの判定は、通信回線が携帯電話機１２に接続されている状態において第１処理部１１１により第２種のイベントが起きたと判定されたことを意味する（Ｓ１１０、Ｓ１１６、Ｓ１１８）。第２指示信号は、通信ユニット１０２に通信機能を用いて前記ＩＤとともに外的通信切替システム２００に送信される（矢印（３））。外的通信切替システム２００は第２指示信号を受信した旨のＡｃｋ通知を、当該ＩＤにより認識される携帯電話機１２に送信する（矢印（４））。第３処理部１１３は当該Ａｃｋ通知の受信に応じて、メモリに記憶されている指数ｉを「１」に設定する（Ｓ１３８）。
【００４８】
また、外的通信切替システム２００は第２指示信号に応じて、携帯電話機１２から車載通話装置１０に通信回線を切り替え（Ｓ２３６）、かつ、実際の通信回線の状態を表す指数ｊを「１」としてそのメモリに保存する（Ｓ２３８）。
【００４９】
第２処理の終了後、第３補助処理部１２３が「第２補助処理」を実行する（Ｓ０３）。
【００５０】
具体的には、第３補助処理部１２３は、外的通信切替システム２００にそのメモリに保存されている指数ｊを問い合わせ（矢印（５））、その回答（矢印（６））に基づいて実際の通信回線の状態を確認する（Ｓ０３０）。指数ｊが「１」であるとの回答があった場合は実際の通信回線が車載通話装置１０に接続されている状態であることを意味する。その一方、指数ｊが「２」であるとの回答があった場合は実際の通信回線が携帯電話機１２に接続されている状態であることを意味する。また、第３補助処理部１２３はメモリにより保存されている指数ｉと、外的通信切替システム２００から通知された指数ｊとの異同を、通信回線の切り替えの成否として判定する（Ｓ０３２）。第３補助処理部１２３は、通信回線の切り替えが失敗であったと判定した場合（Ｓ０３２‥ＮＯ）、第２メッセージを前記ディスプレイ等に出力させる（Ｓ０３４）。第２メッセージは、通信回線の切り替えが失敗に終わったことや、車載通話装置１０または携帯電話機１２による通話ができないこと、通信回線を切り替えるための対処方法が含まれている。第３メッセージは車載通話装置１０のディスプレイや携帯電話機１２のディスプレイ等に表示される。なお、第３メッセージが搭載通信装置１０のスピーカ１０６やナビゲーション装置のスピーカ等から音声として出力されてもよい。
【００５１】
このように本実施形態の内的通信切替システム１００および外的通信切替システム２００によれば、車載通話装置１０および携帯電話機１２の間の通信回線の切り替えのトリガとなるイベントが起きた場合に、通信回線の切り替えを行うか否かを、ユーザの意思や状況等に応じて適切に決定することができる（Ｓ１２１〜１２３，１２５）。そのため、ユーザの意思に反して、通信回線が自動的に切り替えられることを防止して、ユーザが望む通信回線の状態と実際の通信回線の状態との整合を図ることができるとともに、ユーザにとって使い勝手の良い通信回線の状態を実現することができる。
【００５２】
また、本実施形態の内的通信切替システム１００および外的通信切替システム２００において、外的通信切替システム２００が備える一または複数のサーバに、携帯電話機１２に保存されているデータ（例えば、電話帳の登録データ）をバックアップデータとして保存させておき、ユーザからの要求に応じて、或いは、バックアップデータの更新時その他の適時に、外的通信切替システム２００から車載通話装置１０にバックアップデータをダウンロードさせるようにしてもよい。この場合、携帯電話機１２から車載通話装置１０に通信回線が切替えられた際に、携帯電話機１２に保存されているデータと同じバックアップデータを車載通話装置１０で利用することができ、ユーザにとって機能的にも使い勝手のよい通信切替システムを実現することができる。
【００５３】
尚、本実施形態においては、通信状況の切り替えとして、外的通信切替システム２００を介して通信回線が切り替えられる場合について説明したが、これに限らず、車載通話装置１０と携帯電話機１２との間で通信機器の切り替えが行なわれてもよい。この場合、第２処理部１１２により、車載通話装置１０と携帯電話機１２との間の通信機器の切り替えが決定されると（Ｓ１２）、該決定に従って、第３処理部１１３が、通信機器の切り替えまたは切り替えのための処理を行うことにより、車載通話装置１０と携帯電話機１２との間で通信機器の切り替えが行なわれる。
【００５４】
また、本実施形態において、第２処理部１１２は、指数ｋが「１」であると判定した場合（Ｓ１２０‥「１」）のみ、切り替えを行うか否かの選択画面を、車載通話装置１０のディスプレイ（図示略）や携帯電話機１２のディスプレイ等に表示したが（Ｓ１２１）、これに限定されるものではなく、指数ｋが「２」であると判定した場合（Ｓ１２０‥「２」）にも、切り替えを行うか否かの選択画面を表示し、ユーザの入力に従って通信回線の切り替えを行うか否かを決定するようにしてもよい。また、選択画面を表示してユーザの意思を確認することなく、シートセンサ１０７の検出結果のみに基づいて、通信回線を切り替えるか否かを決定するようにしてもよい。
【００５５】
さらに、本実施形態において、車載通話装置１０がマイク１０４，スピーカ１０６、ディスプレイや操作部を備えたが、自動車１のセンターコンソール等に配置されたナビゲーション装置がこれらの機能を備える場合には、ナビゲーション装置の機能を用いるようにしてもよい。
【００５６】
また、本実施形態においては、シートセンサ１０７を用いてユーザが車内に居るか否かを検出しているが、ユーザの存在を検出する手段はこれに限定されるものではなく、車内カメラの画像や、他の車内センサの出力等を用いてユーザの存在を検出するようにしてもよい。
【図面の簡単な説明】
【００５７】
【図１】本実施形態の通信切替システム等の構成例示図
【図２】本実施形態の通信切替方法の説明図
【図３】図２に続く通信切替方法の説明図
【符号の説明】
【００５８】
１‥自動車（移動体）、１０‥車載通話装置（搭載通信装置）、１２‥携帯電話機（携帯通信装置）、１００‥内的通信切替システム、１０２‥通信ユニット（通信機）、１０４‥マイク、１０６‥スピーカ、１０７‥シートセンサ、１１１‥第１処理部、１１２‥第２処理部、１１３‥第３処理部、１２３‥第３補助処理部、２２‥他の電話機（他の通信装置）、２００‥外的通信切替システム、２３０‥切り替え処理部。
【図１】
2008141242.tif 000003
【図２】
2008141242.tif 000004
【図３】
2008141242.tif 000005